(57)【要約】      （修正有）【課題】コストダウンを図ることができ、かつ容易にリサイクルすることができるように改良されたフィルムロールの端面保護具を提供する。【解決手段】フィルムロールの両端面に配置されて該フィルムロールの端面を保護するための、第１の直立部材１５と第２の直立部材１６とが交差して板状部材９の面上に直立する突出部１０を有するフィルムロールの端面保護具８である。波状に加工した紙を表裏の紙で挟んで接着してなる段ボールシート１２ａ，１２ｂが２枚重ねにされた板状部材９を備える。突出部１０の一方である第１の直立部材１５は、２枚重ねの一方の段ボールシート１２ａから切り出され、突出部１０の他方である第２の直立部材１６は、２枚重ねの他方の段ボールシート１２ｂから切り出されている。【選択図】図１
2015054707.tif 000002
【特許請求の範囲】
【請求項１】
フィルムロールの両端面に配置されて該フィルムロールの端面を保護するための、第１の直立部材と第２の直立部材とが交差して板状部材の面上に直立する突出部を有するフィルムロールの端面保護具であって、
波状に加工した紙を表裏の紙で挟んで接着してなる段ボールシートが２枚重ねにされた板状部材を備え、
前記突出部の一方である前記第１の直立部材は、前記２枚重ねの一方の段ボールシートから切り出され、
前記突出部の他方である前記第２の直立部材は、前記２枚重ねの他方の段ボールシートから切り出されていることを特徴とする、フィルムロールの端面保護具。
【請求項２】
１枚の段ボールシートが折り曲げられて前記２枚重ねにされている、請求項１に記載のフィルムロールの端面保護具。
【請求項３】
２枚の段ボールシートが互いの波方向が直交するように重ねられて前記２枚重ねがされている、請求項１に記載のフィルムロールの端面保護具。
【請求項４】
請求項１〜３のいずれか１項に記載のフィルムロールの端面保護具がフィルムロールの両端面に配置され、
前記突出部が前記フィルムロールのコアの空洞部に挿入され、その状態でフィルムロールを鉛直方向に立てて段ボール箱に収納されている、フィルムロール包装体。
【発明の詳細な説明】
【技術分野】
【０００１】
本発明は一般にフィルムロールの端面保護具に関するものであり、より特定的にはコストダウン及びリサイクルを図ることができるように改良された端面保護具に関する。この発明はさらにそのような端面保護具で固定されたフィルムロール包装体に関する。
【背景技術】
【０００２】
図９は従来のフィルムロールの端面保護具の斜視図である。矩形の段ボール紙１を２枚重ねて形成された板状部材２に、プラスチックで形成された突出部３が設けられて、端面保護具４が構成されている。端面保護具４は、図１０（Ａ）（Ｂ）に示すように、フィルムロール５の両端面に配置される。双方の端面保護具４，４の突出部３を、フィルムロール５のコア６の空洞部に挿入する。フィルムロール５は、例えば熱収縮性筒状ラベル、ストレッチラベルあるいはその他のフィルムがコアを中心にロール状に巻かれたものである。端面保護具４は、フィルムロール５のコア６の両端部を受け止める。
【０００３】
その状態で、図１１（Ａ）に示すように、フィルムロール５を鉛直方向に立てて段ボール箱７に詰められて、図１１（Ｂ）に示すように、天側と底側の蓋をガムテープ２１などで封じて、トラックなどで搬送される。端面保護具４を付けていないと、フィルムロール５が段ボール箱７内で動いて、フィルムロール５の端面が損傷を受けることがあるが、端面保護具４を付けていると、フィルムロール５の段ボール箱７内での動きが規制されて動かなくなり、フィルムロール５の損傷を防ぐ。
【０００４】
ところで、このような従来のフィルムロールの端面保護具４は、段ボール紙１と突出部３であるプラスチックの２つの部材で形成されているため、コストがかかり、またリサイクルさせる時に両者を分離する必要があるので、リサイクル作業は容易でない。
【０００５】
他の従来技術として、フィルムロールの端面保護具ではないが、感光体ドラムの開口端に配置される、段ボール紙で形成された筒端固定部材に関する技術も提案されているが、その構造は複雑であり、製造が容易でない（例えば特許文献１参照）。
【先行技術文献】
【特許文献】
【０００６】
【特許文献１】特開平９−２９５６６５号公報
【発明の概要】
【発明が解決しようとする課題】
【０００７】
この発明は、上記のような問題点を解決するためになされたもので、コストダウンを図ることができ、かつ容易にリサイクルすることができるように改良されたフィルムロールの端面保護具を提供することを目的とする。
【０００８】
この発明のさらに他の目的は、そのようなフィルムロールの端面保護具で固定されたフィルムロール包装体を提供することにある。
【課題を解決するための手段】
【０００９】
本発明は、フィルムロールの両端面に配置されて該フィルムロールの端面を保護するための、第１の直立部材と第２の直立部材とが交差して板状部材の面上に直立する突出部を有するフィルムロールの端面保護具であって、波状に加工した紙を表裏の紙で挟んで接着してなる段ボールシートが２枚重ねにされた板状部材を備える。上記突出部の一方である上記第１の直立部材は、上記２枚重ねの一方の段ボールシートから切り出され、上記突出部の他方である上記第２の直立部材は、上記２枚重ねの他方の段ボールシートから切り出されていることを特徴とする。
【００１０】
この発明によれば、上記板状部材は、波状に加工した紙を表裏の紙で挟んで接着してなる段ボールシートが２枚重ねにされてなるので、丈夫である。突出部の一方である上記第１の直立部材は、上記２枚重ねの一方の段ボールシートから切り出され、上記突出部の他方である上記第２の直立部材は、上記２枚重ねの他方の段ボールシートから切り出されており、板状部材も突出部もともに段ボールで形成される。
【００１１】
この発明の好ましい実施態様によれば、１枚の段ボールシートが折り曲げられて上記２枚重ねにされている。１枚の段ボールシートを加工するだけなので、部品点数が少なくなり、製造工程が簡略化される。
【００１２】
この発明の他の好ましい実施態様によれば、２枚の段ボールシートが互いの波方向が直交するように重ねられて上記２枚重ねがされている。
【００１３】
この発明によれば、上記板状部材は、その波方向が互いに直交するように重ねられた２枚の段ボールシートからなるので、より丈夫である。
【００１４】
この発明のさらに好ましい実施態様によれば、上記第１の直立部材と上記第２の直立部材とは十字に交差して上記板状部材の面上に直立している。
【００１５】
十字に交差して板状部材の面上に直立する突出部は、より強固な突出部となる。
【００１６】
この発明の他の局面に従うフィルムロール包装体は、上記フィルムロールの端面保護具がフィルムロールの両端面に配置され、上記突出部が上記フィルムロールのコアの空洞部に挿入され、その状態でフィルムロールを鉛直方向に立てて段ボール箱に収納されている。
【発明の効果】
【００１７】
本発明によれば、上記板状部材は、段ボールシートが２枚重ねよりなるので、丈夫で、折曲がらない。突出部の一方である第１の直立部材は、上記２枚重ねの一方の段ボールシートから切り出され、突出部の他方である第２の直立部材は、上記２枚重ねの他方の段ボールシートから切り出されており、板状部材も突出部もともに段ボールで形成されているので、リサイクルが容易である。
【図面の簡単な説明】
【００１８】
【図１】（Ａ）は実施例１に係るフィルムロールの端面保護具の斜視図であり、（Ｂ）は図１（Ａ）におけるＢ部の端面の拡大図であり、（Ｃ）は図１（Ａ）におけるＣ部の端面の拡大図である。
【図２】（Ａ）はフィルムロールの端面保護具の製造方法の第１の工程を示し、（Ｂ）は第２の工程を示し、（Ｃ）は図１（Ａ）におけるＣ部の端面の拡大図であり、（Ｄ）は図１（Ａ）におけるＤ部の端面の拡大図である。
【図３】（Ａ）は上記フィルムロールの端面保護具の製造方法の第３の工程を示し、（Ｂ）はフィルムロールの端面保護具の完成図を示す。
【図４】（Ａ）はフィルムロールの段ボール箱収納までの第１の工程を示し、（Ｂ）は第２の工程を示し、（Ｃ）は第３の工程を示す。
【図５】（Ａ）は実施例４に係るフィルムロールの端面保護具の製造方法の第１の工程を示し、（Ｂ）は第２の工程を示し、（Ｃ）は完成図を示す。
【図６】実施例５に係るフィルムロールの端面保護具の斜視図である。
【図７】（Ａ）は実施例５に係るフィルムロールの端面保護具の製造方法の第１の工程であり、（Ｂ）は第２の工程であり、（Ｃ）は完成図である。
【図８】実施例６に係るフィルムロールの端面保護具を説明するための図である。
【図９】従来のフィルムロールの端面保護具の斜視図である。
【図１０】従来のフィルムロールの端面保護具の使用方法を示す図である。
【図１１】（Ａ）は従来のフィルムロールの端面保護具をフィルムロールに取り付けて段ボール箱を収納する様子を示す図であり、（Ｂ）はガムテープで段ボール箱を封じた様子を示す図である。
【発明を実施するための形態】
【００１９】
コストダウン及びリサイクルを図ることができるように改良されたフィルムロールの端面保護具を得るという目的を、第１の直立部材と第２の直立部材とが交差して板状部材の面上に直立する突出部を有するフィルムロールの端面保護具を、段ボールシートを２枚重ねにし、上記突出部の一方となる上記第１の直立部材を、２枚重ねの一方の段ボールシートから切り出し、上記突出部の他方となる上記第２の直立部材を、２枚重ねの他方の段ボールシートから切り出すことによって実現した。
【００２０】
以下、本発明の実施例を、添付図面を参照して説明する。各図中、同一又は相当する部分には同一の参照番号を付し、その説明を繰り返さない。
【実施例１】
【００２１】
図１（Ａ）（Ｂ）（Ｃ）を参照して、フィルムロールの端面保護具８は、後述するフィルムロールの両端面に配置されて該フィルムロールの端面を保護するためのものであり、波状に加工した紙１１を表裏の紙で挟んで接着した正方形の段ボールシートの２枚（１２ａ、１２ｂ）からなる板状部材９を備え、十字に交差して板状部材９の面上に直立する突出部１０を有する。突出部１０の十字の一方である半月状の第１の直立部材１５は、一方の段ボールシート１２ａから切り出され、突出部１０の十字の他方である矩形状の第２の直立部材１６は、他方の段ボールシート１２ｂから切り出されている。上記２枚の段ボールシート１２ａ、１２ｂを、互いの波方向が直交するように重ね、第１の直立部材１５と上記第２の直立部材１６とを交差させて、突出部１０が形成されている。
【００２２】
実施例１に係るフィルムロールの端面保護具８によれば、板状部材９は、２枚の段ボールシート１２ａ，１２ｂがその波方向が互いに直交するように重ねられて形成されているので、丈夫で、折曲がらない。十字に交差して板状部材の面上に直立する突出部１０において、その十字の一方となる第１の直立部材１５は、一方の段ボールシート１２ａから切り出され、十字の他方となる第２の直立部材１６は、他方の段ボールシート１２ｂから切り出されており、板状部材９も突出部１０もともに段ボール紙で形成されているので、リサイクルが容易である。また、段ボール紙だけで製造できるので、コストダウンを図ることができる。
【実施例２】
【００２３】
次に、上述のフィルムロールの端面保護具の製造方法について説明する。図２（Ａ）（Ｂ）（Ｃ）（Ｄ）を参照して、波状に加工した紙１１を表裏の紙で挟んで接着した正方形の段ボールシート１２ａ、１２ｂを２枚準備する。一方の段ボールシート１２ａに、半月状の第１の直立部材１５の形成に必要な切れ目１３、矩形状の第２の直立部材１６と係合する第１の係合用溝１７、及び第１の直立部材１５を直立させるために必要な折り曲げ線１９とを設ける。折り曲げ線１９は、波方向（１１）と直交するように設ける。第１の係合用溝１７は、波方向（１１）と平行に、半月状の第１の直立部材１５の領域内に侵入するように、好ましくは第１の直立部材１５の高さの中間にまで延びるように形成する。他方の段ボールシート１２ｂに、第２の直立部材１６の形成に必要な切れ目１４、第１の直立部材１５と係合する第２の係合用溝１８及び第２の直立部材１６を直立させるために必要な折り曲げ線２０とを設ける。折り曲げ線２０は、波方向（１１）と直交するように設ける。第２の係合用溝１８は、第２の直立部材１６の上端から、好ましくは第２の直立部材１６の高さの中間にまで延びるように形成する。
【００２４】
それぞれの段ボールシート１２ａ、１２ｂの折り曲げ線１９，２０を折り曲げて、それぞれの面上に第１の直立部材１５及び第２の直立部材１６を形成する。２枚の段ボールシート１２ａ、１２ｂをその波方向が互いに直交するように重ねて、第２の直立部材１６を第１の係合用溝１７に係合させて、かつ第１の直立部材１５を第２の係合用溝１８に係合させて、それによって十字に交差して直立する突出部１０を形成する。このように突出部１０は２つの直立部材１５，１６が係合しながら十字に交差しているので、しっかりと板状部材９の上で直立し、前後左右に倒れることはない。
【実施例３】
【００２５】
図４は、上述のフィルムロールの端面保護具を用いて、フィルムロールを段ボール箱に収納するまでの工程を示す。図４（Ａ）を参照して、フィルムロールの端面保護具８は、フィルムロール５の両端面に配置されて、図４（Ｂ）に示すように、板状部材９の面上に直立する突出部１０が、フィルムロール５のコア６の空洞部に挿入される。この状態で、図４（Ｃ）を参照して、フィルムロール５を鉛直方向に立てて段ボール箱７に収納されて、段ボール箱７の天側と底側の蓋をガムテープなどで封じられる。得られたフィルムロール包装体はトラックなどで搬送される。フィルムロール５は、端面保護具８により、段ボール箱７の中で、その動きが規制されて、段ボール箱７の内壁と接触することもなく、何ら損傷を受けない。搬送後、フィルムロール５を取り出した後の段ボール箱７及びフィルムロールの端面保護具８は、段ボール紙のみであるので、そのままリサイクルされる。
【実施例４】
【００２６】
上記実施例では、十字に交差して直立する突出部１０を構成する直立部材の一方が半月状の直立部材で、他方が矩形状の直立部材である場合を例示したが、図５（Ａ）（Ｂ）に示すように、双方の直立部材１５，１６が矩形状の直立部材であってもよい。このような構成であっても、図５（Ｃ）に示すように、突出部１０は、第２の直立部材１６を第１の係合用溝１７に係合させて、かつ第１の直立部材１５を第２の係合用溝１８に係合させて、それによって十字に交差しているので、しっかりと板状部材９の上で直立し、前後左右に倒れることはない。
【実施例５】
【００２７】
上記実施例では、２枚の段ボールシートを重ねて板状部材を構成する場合を例示したがこの発明はこれに限られるものではない。一枚の段ボールシートが２枚重ねになるように折り曲げられてなる板状部材であってもよい。以下詳しく説明する。
【００２８】
図６は、実施例５に係るフィルムロールの端面保護具の斜視図である。図６を参照して、フィルムロールの端面保護具８は、一枚の段ボールシートが２枚重ねになるように折り曲げられてなる板状部材９を備える。十字に交差して板状部材９の面上に直立する突出部１０を有する。突出部１０の十字の一方である半月状の第１の直立部材１５は、２枚重ねの一方の段ボールシート１２ｃから切り出され、突出部１０の十字の他方である矩形状の第２の直立部材１６は、２枚重ねの他方の段ボールシート１２ｄから切り出されている。第１の直立部材１５と上記第２の直立部材１６とを十字に交差させて、突出部１０が形成されている。
【００２９】
このような端面保護具の製造方法について説明する。
【００３０】
図７（Ａ）を参照して、１枚の長い段ボールシート１２を準備する。段ボールシート１２の一方の側１２ｃに、半月状の第１の直立部材１５の形成に必要な切れ目１３、矩形状の第２の直立部材１６と係合する第１の係合用溝１７、及び第１の直立部材１５を直立させるために必要な折り曲げ線１９とを設ける。第１の係合用溝１７は、半月状の第１の直立部材１５の領域内に侵入するように、好ましくは第１の直立部材１５の高さの中間にまで延びるように形成する。段ボールシート１２の他方の側１２ｄに、第２の直立部材１６の形成に必要な切れ目１４、第１の直立部材１５と係合する第２の係合用溝１８及び第２の直立部材１６を直立させるために必要な折り曲げ線２０とを設ける。第２の係合用溝１８は、第２の直立部材１６の上端から、好ましくは第２の直立部材１６の高さの中間にまで延びるように形成する。
【００３１】
図７（Ａ）（Ｂ）を参照して、第１の直立部材１５は段ボールシート１２の水平面に対して向こう側に向いて立つように、そして第２の直立部材１６は手前側に立つように、折り曲げ線１９，２０を折り曲げて、それぞれの面上に立つ第１の直立部材１５及び第２の直立部材１６を形成する。段ボールシート１２の中央部分を折り曲げて、他方の側１２ｄに一方の側１２ｃが重なるように重ねて、第２の直立部材１６を第１の係合用溝１７に係合させて、かつ第１の直立部材１５を第２の係合用溝１８に係合させて、それによって、図７（Ｃ）に示す、十字に交差して直立する突出部１０を形成する。本実施例によれば、１枚の段ボールシートを加工するだけなので、部品点数が少なくなり、製造工程が簡略化される。また、段ボールシートが２枚重ねにされてなるので、丈夫である。突出部１０は２つの直立部材１５，１６が係合しながら十字に交差しているので、しっかりと板状部材９の上で直立し、前後左右に倒れることはない。
【実施例６】
【００３２】
上記実施例では、１枚の段ボールシートから折り曲げて２枚重ねをする実施例でも、２枚の段ボールシートを重ねて２枚重ねをする実施例でも、図８（Ａ）に示すように、いずれも突出部１０が、第１の直立部材１５と第２の直立部材１６が十字（９０度）に交差してなる場合を例示したが、この発明はこれに限られるものでなく、図８（Ｂ）に示すように、第１の直立部材１５と第２の直立部材１６が０〜９０度の任意の範囲で交差する突出部１０であってもよい。
【００３３】
なお、上記実施例では、双方の直立部材１５，１６の高さが等しい場合を例示したが、双方の直立部材１５，１６の高さは等しくなくてもよい。
【００３４】
また上記実施例では、他方の段ボールシート１２ｂに第２の係合用溝１８を設ける場合を例示したが、この発明はこれに限られるものでなく、第２の係合用溝１８を設けない態様でも、相当の効果を奏する。この場合、第１の係合用溝１７を第１の直立部材１５の上端まで長く延ばして形成するか、あるいは第２の直立部材１６の高さを低くするのが好ましい。
【００３５】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３６】
本発明のフィルムロールの端面保護具は、板状部材も突出部もともに段ボールで形成されているので、リサイクルが容易である。
【符号の説明】
【００３７】
１        段ボール紙
２        板状部材
３        突出部
４        フィルムロールの端面保護具
５        フィルムロール
６        コア
７        段ボール箱
８        フィルムロールの端面保護具
９        板状部材
１０        突出部
１１        波状に加工した紙
１２        一枚の段ボールシート
１２ａ      一方の段ボールシート
１２ｂ      他方の段ボールシート
１２ｃ      一方の段ボールシート
１２ｄ      他方の段ボールシート
１３，１４  切れ目
１５        第１の直立部材
１６        第２の直立部材
１７        第１の係合用溝
１８        第２の係合用溝
１９，２０  折り曲げ線
２１        ガムテープ
【図１】
2015054707.tif 000003
【図２】
2015054707.tif 000004
【図３】
2015054707.tif 000005
【図４】
2015054707.tif 000006
【図５】
2015054707.tif 000007
【図６】
2015054707.tif 000008
【図７】
2015054707.tif 000009
【図８】
2015054707.tif 000010
【図９】
2015054707.tif 000011
【図１０】
2015054707.tif 000012
【図１１】
2015054707.tif 000013